(57)【要約】【課題】            気密室内の減圧時以外に補強具を容易に移動可能なグローブボックスを提供すること【解決手段】          開口部を有するグローブボックス本体２と、グローブボックス本体２の開口部に配置される観察窓３と、グローブボックス本体２と観察窓３とで構成される気密室内の気体を排気する排気手段と、観察窓３を補強する補強具４と、で主に構成されるグローブボックス１において、当該補強具４が開口部に対して移動可能に形成されるものである。また、グローブボックス本体２は、気密室内を減圧する際に補強具４を配置する位置を示す位置決め手段22を有していても良い。【選択図】          図１
2013056408.tif 000002
【特許請求の範囲】
【請求項１】
開口部を有するグローブボックス本体と、前記グローブボックス本体の開口部に配置される観察窓と、前記グローブボックス本体と前記観察窓とで構成される気密室内の気体を排気する排気手段と、前記観察窓を補強する補強具と、で構成されるグローブボックスであって、
前記補強具は、前記開口部上を移動可能に形成されることを特徴とするグローブボックス。
【請求項２】
前記グローブボックス本体は前記補強具を載置するための載置部を有し、前記補強具は前記観察窓に当接する補強部と、当該補強部の姿勢を前記載置部上で保持するための姿勢保持部とを有することを特徴とする請求項１記載のグローブボックス。
【請求項３】
前記グローブボックス本体は、前記気密室内を減圧する際に前記補強具を配置する位置を示す位置決め手段を有することを特徴とする請求項１又は２記載のグローブボックス。
【請求項４】
前記位置決め手段は、前記グローブボックス本体に対して固定され、前記補強部の側面に当接する板状に形成されることを特徴とする請求項３記載のグローブボックス。
【請求項５】
前記補強具が所定の位置に配置されていない場合に前記排気手段の作動を防止する安全装置を具備することを特徴とする請求項１ないし４のいずれかに記載のグローブボックス。
【発明の詳細な説明】
【技術分野】
【０００１】
本発明は、減圧時以外において観察窓の補強具を容易に移動可能なグローブボックスに関するものである。
【背景技術】
【０００２】
従来、大気中で不安定な物質等を扱うために、グローブボックスが用いられている。グローブボックスは、真空ポンプ等により内部の気体を排気し不活性ガス等に置換して使用可能な気密室を有し、外部側からゴム製のグローブを介して気密室内の作業を行えるようにしたものである（例えば、特許文献１）。
【０００３】
【特許文献１】特開２００５−８１４５２
【発明の開示】
【発明が解決しようとする課題】
【０００４】
このようなグローブボックスにおいて観察窓に用いられるガラス等の透明部材は、気密室を減圧した際の大気圧に耐えられるよう厚みを大きく形成する必要がある。一方、この透明部材の厚みを薄くするため、観察窓の内側に当該透明部材の強度を補強する補強具を配置するものもある。しかしながら、当該補強具があると、気密室内を観察したり、観察窓を外して物を出し入れする際に邪魔になるという問題があった。
【０００５】
そこで本発明は、気密室内の減圧時以外に補強具を容易に移動可能なグローブボックスを提供することを目的とする。
【課題を解決するための手段】
【０００６】
上記目的を達成するために、本発明のグローブボックスは、開口部を有するグローブボックス本体と、前記グローブボックス本体の開口部に配置される観察窓と、前記グローブボックス本体と前記観察窓とで構成される気密室内の気体を排気する排気手段と、前記観察窓を補強する補強具と、で構成されるものであって、前記補強具は、前記開口部に対して移動可能に形成されることを特徴とする。
【０００７】
この場合、前記グローブボックス本体は前記補強具を載置するための載置部を有し、前記補強具は前記観察窓に当接する補強部と、当該補強部の姿勢を前記載置部上で保持するための姿勢保持部とを有するように構成することができる。
【０００８】
また、前記グローブボックス本体は、前記気密室内を減圧する際に前記補強具を配置する位置を示す位置決め手段を有する方が好ましい。当該位置決め手段は、前記グローブボックス本体に対して固定され、前記補強部の側面に当接する板状に形成すれば良い。
【０００９】
また、前記補強具が所定の位置に配置されていない場合に前記排気手段の作動を防止する安全装置を具備する方が好ましい。
【発明の効果】
【００１０】
本発明のグローブボックスは、補強具がグローブボックス本体の開口部上を移動可能に形成されるので、気密室内を観察したり、物を出し入れすることを容易にすることができる。
【図面の簡単な説明】
【００１１】
【図１】本発明のグローブボックスを示す概略平面図である。
【図２】本発明にグローブボックスを示す概略平面図である。
【図３】図１のＩ−Ｉ線矢印方向を示す概略断面図である。
【符号の説明】
【００１２】
１  グローブボックス
２  グローブボックス本体
３  観察窓
４  補強具
21  載置部
22  位置決め手段
41  補強部
42  姿勢保持部
【発明を実施するための最良の形態】
【００１３】
本発明のグローブボックス１は、図１ないし図３に示すように、開口部を有するグローブボックス本体２と、グローブボックス本体２の開口部に配置される観察窓３と、グローブボックス本体２と観察窓３とで構成される気密室内の気体を排気する排気手段（図示せず）と、観察窓３を補強する補強具４と、で主に構成され、当該補強具４が開口部に対して移動可能に形成されるものである。また、グローブボックス本体２は、気密室内を減圧する際に補強具４を配置する位置を示す位置決め手段22を有していても良い。更に、気密室内を不活性ガスや乾燥空気等で置換するガス置換装置や気密室内の雰囲気を維持するガス循環精製装置等、一般的なグローブボックスが備えているその他の装置を具備していても良い。
【００１４】
なお、開口部とは、グローブボックス本体２に観察窓３が配置されているときのグローブボックス本体２と観察窓３の境界面を意味し、開口部に対して移動可能とは、当該境界面上又は境界面近傍を移動可能という意味である。
【００１５】
グローブボックス本体２は、内部に作業用の気密室を形成するもので開口部を有する箱状に形成される。この開口部には、後述する観察窓３が配置され、これにより気密室が構成される。また、グローブボックス本体２には、図示しないが一般的なグローブボックスと同様に、人の手を気密室内に入れるための二つの手袋取付口が更に形成され、各手袋取付口には、気密室が気密となるようにゴム手袋が配置される。また、グローブボックス本体２には、補強具４を載置すると共に、観察窓３および補強具４を介して受けた大気圧による力を支持するための載置部21が形成されている。載置部21は、気密室内が減圧時には所定の位置で補強具４を載置すると共に大気圧による力を支持でき、気密室内が減圧されていない時には、例えば開口部の端の方へ移動した補強具４を載置できる構造であれば良い。例えば図３に示すように、グローブボックス本体の側壁内側に溶接した開口部と平行な鋼板を用いることができる。
【００１６】
また、グローブボックス本体２の材質は、気密室を減圧した際に大気圧に対する耐久性を有していればどのようなものでも良く、例えばステンレス鋼等の金属で形成される。
【００１７】
観察窓３は、グローブボックス本体２の開口部に着脱可能に形成されるもので、強化ガラス等の透明部材31と、透明部材31を保持する窓枠32と、で主に構成される。
【００１８】
グローブボックス本体２と窓枠32との間には、気密室を気密に保持するためのシール部材2aが配置される。図３においては、当該シール部材2aをグローブボックス本体２側に配置しているが、観察窓３側に配置しても構わない。また、グローブボックス本体２と窓枠32には、図示しないが、グローブボックス本体と観察窓３を着脱するためのキャッチクリップが複数配置される。
【００１９】
排気手段は、気密室内の気体を排気して減圧するもので、一般的なグローブボックスと同様に、真空ポンプや、気密室と真空ポンプを接続する排気管等により構成すれば良い。
【００２０】
補強具４は、気密室内を減圧した際に観察窓３を気密室側から支持し、観察窓３、特に透明部材31の強度を補強するためのものである。本発明による補強具４は、開口部上を移動可能に形成されるものであればどのようなものでも良いが、例えば、観察窓３に当接する補強部41と、載置部21上でグローブボックス本体２に対して補強部41の姿勢を保持するための姿勢保持部42と、で構成することができる。
【００２１】
補強部41は、観察窓３を補強できるものであればどのような形状でも良いが、例えば、図１〜図３に示すように、開口部を横断して観察窓３を支持する板状のものを用いることができる。また、補強部41は、観察窓３を補強できるものであればどのような材料でも良いが、例えば、ステンレス鋼等の金属を用いることができる。また、補強部41は、透明部材31に傷等が生じるのを防止するため、観察窓３に当接する部分に、ゴム等の緩衝部材41aを配置する方が好ましい。
【００２２】
姿勢保持部42は、図１に示すように、補強部41の長手方向両端の両側面下部に溶接等により接合され、補強部41を載置部21に対して垂直に保持する板状のものを用いることができる。なお、姿勢保持部42は、補強部41の長手方向両端の片側面下部のみに設けても構わない。
【００２３】
グローブボックス本体２の載置部21と補強具４をこのように構成することにより、気密室の減圧時には、図１に示すように、観察窓を補強するのに適した位置に補強具４を配置し、気密室内が減圧下にない時には、図２に示すように、気密室内を観察したり、物を出し入れする際に邪魔にならない位置へ補強具４を簡易に移動することができる。
【００２４】
なお、図１又は図２においては、開口部に補強具４を二つ配置する場合について説明したが、当該補強具４は、観察窓の大きさに応じて、１つのみ又は３つ以上配置するものでも構わない。
【００２５】
位置決め手段22は、グローブボックス１の気密室内を減圧する際に、補強具４を配置すべき位置を示すものである。位置決め手段は、単なる目印であっても良いが、好ましくは、グローブボックス本体２に対して固定され、補強部41の側面に当接して位置決めできる板状のものが良い。この場合、補強部41の側面を位置決め手段22に当接する際に、姿勢保持部42が位置決め手段22とぶつかるのを防止するために、載置部21の上面と位置決め手段22の下部との間には、板状の姿勢保持部42の厚みより大きい隙間を形成する。位置決め手段22をこのように形成することにより、補強具４をこの板状の位置決め手段22に当接することで補強位置へ簡単に配置することができる。
【００２６】
また、本発明のグローブボックスは、排気手段が気密室内を排気する際に補強具４が観察窓３を支持すべき所定の位置に配置されていないと、観察窓が破損等する恐れがあり危険である。したがって、補強具が所定の位置に配置されていない場合には、排気手段の作動を防止する安全装置を具備するようにしても良い。
【００２７】
安全装置としては、補強具４が正しい位置に配置されていない時に排気手段の作動を防止できればどのようなものでも良いが、例えば光センサーで補強具が所定位置に存在するか検出し、所定位置に存在しない場合には排気手段のスイッチが入らないようにするものを用いることができる。また、別の安全装置としては、位置決め手段と補強具を金属等の導電性材料で形成し、位置決め手段に補強具が当接していると通電して排気手段にスイッチを入れることができるが、補強具が存在しないとスイッチが入らないように構成することも可能である。
【図１】
2013056408.tif 000003
【図２】
2013056408.tif 000004
【図３】
2013056408.tif 000005
【手続補正書】
【提出日】平成24年8月8日(2012.8.8)
【手続補正１】
【補正対象書類名】特許請求の範囲
【補正対象項目名】全文
【補正方法】変更
【補正の内容】
【特許請求の範囲】
【請求項１】
開口部を有するグローブボックス本体と、透明部材と当該透明部材を保持する窓枠とを有し前記グローブボックス本体の開口部に配置される観察窓と、前記グローブボックス本体と前記観察窓とで構成される気密室内の気体を排気する排気手段と、前記観察窓を前記気密室側から支持して補強する補強具と、で構成されるグローブボックスであって、
前記補強具は、前記開口部上を移動可能に形成されることを特徴とするグローブボックス。
【請求項２】
前記グローブボックス本体は前記補強具を載置するための載置部を有し、前記補強具は前記観察窓に当接する補強部と、当該補強部の姿勢を前記載置部上で保持するための姿勢保持部とを有することを特徴とする請求項１記載のグローブボックス。
【請求項３】
前記グローブボックス本体は、前記気密室内を減圧する際に前記補強具を配置する位置を示す位置決め手段を有することを特徴とする請求項１又は２記載のグローブボックス。
【請求項４】
前記位置決め手段は、前記グローブボックス本体に対して固定され、前記補強部の側面に当接する板状に形成されることを特徴とする請求項３記載のグローブボックス。
【請求項５】
前記補強具が所定の位置に配置されていない場合に前記排気手段の作動を防止する安全装置を具備することを特徴とする請求項１ないし４のいずれかに記載のグローブボックス。
【手続補正２】
【補正対象書類名】明細書
【補正対象項目名】全文
【補正方法】変更
【補正の内容】
【発明の詳細な説明】
【技術分野】
【０００１】
本発明は、減圧時以外において観察窓の補強具を容易に移動可能なグローブボックスに関するものである。
【背景技術】
【０００２】
従来、大気中で不安定な物質等を扱うために、グローブボックスが用いられている。グローブボックスは、真空ポンプ等により内部の気体を排気し不活性ガス等に置換して使用可能な気密室を有し、外部側からゴム製のグローブを介して気密室内の作業を行えるようにしたものである（例えば、特許文献１）。
【０００３】
【特許文献１】特開２００５−８１４５２
【発明の開示】
【発明が解決しようとする課題】
【０００４】
このようなグローブボックスにおいて観察窓に用いられるガラス等の透明部材は、気密室を減圧した際の大気圧に耐えられるよう厚みを大きく形成する必要がある。一方、この透明部材の厚みを薄くするため、観察窓の内側に当該透明部材の強度を補強する補強具を配置するものもある。しかしながら、当該補強具があると、気密室内を観察したり、観察窓を外して物を出し入れする際に邪魔になるという問題があった。
【０００５】
そこで本発明は、気密室内の減圧時以外に補強具を容易に移動可能なグローブボックスを提供することを目的とする。
【課題を解決するための手段】
【０００６】
上記目的を達成するために、本発明のグローブボックスは、開口部を有するグローブボックス本体と、透明部材と当該透明部材を保持する窓枠とを有し前記グローブボックス本体の開口部に配置される観察窓と、前記グローブボックス本体と前記観察窓とで構成される気密室内の気体を排気する排気手段と、前記観察窓を前記気密室側から支持して補強する補強具と、で構成されるものであって、前記補強具は、前記開口部に対して移動可能に形成されることを特徴とする。
【０００７】
この場合、前記グローブボックス本体は前記補強具を載置するための載置部を有し、前記補強具は前記観察窓に当接する補強部と、当該補強部の姿勢を前記載置部上で保持するための姿勢保持部とを有するように構成することができる。
【０００８】
また、前記グローブボックス本体は、前記気密室内を減圧する際に前記補強具を配置する位置を示す位置決め手段を有する方が好ましい。当該位置決め手段は、前記グローブボックス本体に対して固定され、前記補強部の側面に当接する板状に形成すれば良い。
【０００９】
また、前記補強具が所定の位置に配置されていない場合に前記排気手段の作動を防止する安全装置を具備する方が好ましい。
【発明の効果】
【００１０】
本発明のグローブボックスは、補強具がグローブボックス本体の開口部上を移動可能に形成されるので、気密室内を観察したり、物を出し入れすることを容易にすることができる。
【図面の簡単な説明】
【００１１】
【図１】本発明のグローブボックスを示す概略平面図である。
【図２】本発明にグローブボックスを示す概略平面図である。
【図３】図１のＩ−Ｉ線矢印方向を示す概略断面図である。
【符号の説明】
【００１２】
１  グローブボックス
２  グローブボックス本体
３  観察窓
４  補強具
21  載置部
22  位置決め手段
41  補強部
42  姿勢保持部
【発明を実施するための最良の形態】
【００１３】
本発明のグローブボックス１は、図１ないし図３に示すように、開口部を有するグローブボックス本体２と、グローブボックス本体２の開口部に配置される観察窓３と、グローブボックス本体２と観察窓３とで構成される気密室内の気体を排気する排気手段（図示せず）と、観察窓３を補強する補強具４と、で主に構成され、当該補強具４が開口部に対して移動可能に形成されるものである。また、グローブボックス本体２は、気密室内を減圧する際に補強具４を配置する位置を示す位置決め手段22を有していても良い。更に、気密室内を不活性ガスや乾燥空気等で置換するガス置換装置や気密室内の雰囲気を維持するガス循環精製装置等、一般的なグローブボックスが備えているその他の装置を具備していても良い。
【００１４】
なお、開口部とは、グローブボックス本体２に観察窓３が配置されているときのグローブボックス本体２と観察窓３の境界面を意味し、開口部に対して移動可能とは、当該境界面上又は境界面近傍を移動可能という意味である。
【００１５】
グローブボックス本体２は、内部に作業用の気密室を形成するもので開口部を有する箱状に形成される。この開口部には、後述する観察窓３が配置され、これにより気密室が構成される。また、グローブボックス本体２には、図示しないが一般的なグローブボックスと同様に、人の手を気密室内に入れるための二つの手袋取付口が更に形成され、各手袋取付口には、気密室が気密となるようにゴム手袋が配置される。また、グローブボックス本体２には、補強具４を載置すると共に、観察窓３および補強具４を介して受けた大気圧による力を支持するための載置部21が形成されている。載置部21は、気密室内が減圧時には所定の位置で補強具４を載置すると共に大気圧による力を支持でき、気密室内が減圧されていない時には、例えば開口部の端の方へ移動した補強具４を載置できる構造であれば良い。例えば図３に示すように、グローブボックス本体の側壁内側に溶接した開口部と平行な鋼板を用いることができる。
【００１６】
また、グローブボックス本体２の材質は、気密室を減圧した際に大気圧に対する耐久性を有していればどのようなものでも良く、例えばステンレス鋼等の金属で形成される。
【００１７】
観察窓３は、グローブボックス本体２の開口部に着脱可能に形成されるもので、強化ガラス等の透明部材31と、透明部材31を保持する窓枠32と、で主に構成される。
【００１８】
グローブボックス本体２と窓枠32との間には、気密室を気密に保持するためのシール部材2aが配置される。図３においては、当該シール部材2aをグローブボックス本体２側に配置しているが、観察窓３側に配置しても構わない。また、グローブボックス本体２と窓枠32には、図示しないが、グローブボックス本体と観察窓３を着脱するためのキャッチクリップが複数配置される。
【００１９】
排気手段は、気密室内の気体を排気して減圧するもので、一般的なグローブボックスと同様に、真空ポンプや、気密室と真空ポンプを接続する排気管等により構成すれば良い。
【００２０】
補強具４は、気密室内を減圧した際に観察窓３を気密室側から支持し、観察窓３、特に透明部材31の強度を補強するためのものである。本発明による補強具４は、開口部上を移動可能に形成されるものであればどのようなものでも良いが、例えば、観察窓３に当接する補強部41と、載置部21上でグローブボックス本体２に対して補強部41の姿勢を保持するための姿勢保持部42と、で構成することができる。
【００２１】
補強部41は、観察窓３を補強できるものであればどのような形状でも良いが、例えば、図１〜図３に示すように、開口部を横断して観察窓３を支持する板状のものを用いることができる。また、補強部41は、観察窓３を補強できるものであればどのような材料でも良いが、例えば、ステンレス鋼等の金属を用いることができる。また、補強部41は、透明部材31に傷等が生じるのを防止するため、観察窓３に当接する部分に、ゴム等の緩衝部材41aを配置する方が好ましい。
【００２２】
姿勢保持部42は、図１に示すように、補強部41の長手方向両端の両側面下部に溶接等により接合され、補強部41を載置部21に対して垂直に保持する板状のものを用いることができる。なお、姿勢保持部42は、補強部41の長手方向両端の片側面下部のみに設けても構わない。
【００２３】
グローブボックス本体２の載置部21と補強具４をこのように構成することにより、気密室の減圧時には、図１に示すように、観察窓を補強するのに適した位置に補強具４を配置し、気密室内が減圧下にない時には、図２に示すように、気密室内を観察したり、物を出し入れする際に邪魔にならない位置へ補強具４を簡易に移動することができる。
【００２４】
なお、図１又は図２においては、開口部に補強具４を二つ配置する場合について説明したが、当該補強具４は、観察窓の大きさに応じて、１つのみ又は３つ以上配置するものでも構わない。
【００２５】
位置決め手段22は、グローブボックス１の気密室内を減圧する際に、補強具４を配置すべき位置を示すものである。位置決め手段は、単なる目印であっても良いが、好ましくは、グローブボックス本体２に対して固定され、補強部41の側面に当接して位置決めできる板状のものが良い。この場合、補強部41の側面を位置決め手段22に当接する際に、姿勢保持部42が位置決め手段22とぶつかるのを防止するために、載置部21の上面と位置決め手段22の下部との間には、板状の姿勢保持部42の厚みより大きい隙間を形成する。位置決め手段22をこのように形成することにより、補強具４をこの板状の位置決め手段22に当接することで補強位置へ簡単に配置することができる。
【００２６】
また、本発明のグローブボックスは、排気手段が気密室内を排気する際に補強具４が観察窓３を支持すべき所定の位置に配置されていないと、観察窓が破損等する恐れがあり危険である。したがって、補強具が所定の位置に配置されていない場合には、排気手段の作動を防止する安全装置を具備するようにしても良い。
【００２７】
安全装置としては、補強具４が正しい位置に配置されていない時に排気手段の作動を防止できればどのようなものでも良いが、例えば光センサーで補強具が所定位置に存在するか検出し、所定位置に存在しない場合には排気手段のスイッチが入らないようにするものを用いることができる。また、別の安全装置としては、位置決め手段と補強具を金属等の導電性材料で形成し、位置決め手段に補強具が当接していると通電して排気手段にスイッチを入れることができるが、補強具が存在しないとスイッチが入らないように構成することも可能である。